(57)【要約】      （修正有）【課題】シート材からなる手袋を、その外面に接触することなく手指に装着できる安価な手袋装着装置を得る。【解決手段】シート材からなる掌側部分１１および甲側部分１２とが互いに接合されてなる手袋を、手指に装着させるための手袋装着装置を、下記箱体２０と手袋保持手段とから構成する。箱体２０は、上面の少なくとも一部に、使用者の手先が通過可能な挿入開口２０ｂを有するものとする。他方手袋保持手段は、上記箱体２０内において、基端部が該箱体２０に取り付けられ、先端部３１ｂが上向きにされ、この先端部３１ｂと基端部との間の中間部が横向きに延びる状態に配置されたロッドを３本有し、開口部１３を上側にして整列された複数の手袋１０を、その貫通孔１２ｂに上記中間部を通すことにより箱体２０内に吊り下げ保持するように構成する。【選択図】図１
2015212431.tif 000002
【特許請求の範囲】
【請求項１】
それぞれがシート材からなる手袋部分である掌側部分および甲側部分とが、手指を挿入するための開口部を除く縁部において互いに接合されてなり、
前記開口部となる前記掌側部分の端縁部および甲側部分の端縁部の一方が、他方よりも指側に偏位した状態とされ、
前記掌側部分および甲側部分のうち、前記他方の端縁部を有する方の手袋部分において、該端縁部の内側に貫通孔が設けられている手袋を、手指に装着させるための手袋装着装置であって、
上面の少なくとも一部に、使用者の手先が通過可能な挿入開口が形成された箱体と、
この箱体内において、基端部が該箱体に取り付けられ、先端部が上向きにされ、この先端部と前記基端部との間の中間部が横向きに延びる状態に配置されたロッドを有し、前記開口部を上側にして整列された複数の手袋を、その前記貫通孔に前記中間部を通すことにより、前記挿入開口の下で前記箱体内に吊り下げ保持する手袋保持手段とを備えてなり、
そして前記ロッドが、その前記中間部が延びる方向に対して交わる略水平な方向に並べて３本設けられていることを特徴とするものである。
【請求項２】
前記３本のロッドのうちの中央のロッドの上向きになった先端部が、両端に有る２本のロッドの上向きになった先端部と比べて、より前記基端側に位置していることを特徴とする請求項１記載の手袋装着装置。
【請求項３】
請求項１または２に記載の手袋装着装置において前記手袋保持手段に吊り下げ保持される手袋であって、前記３本のロッドの各々を挿通させる３個の貫通孔を有することを特徴とする手袋。
【発明の詳細な説明】
【技術分野】
【０００１】
本発明は、シート材からなる手袋を、使用者の手指に装着するための装置に関するものである。
【０００２】
また本発明は、そのような装置において使用される手袋に関するものである。
【背景技術】
【０００３】
従来、例えば特許文献１に示されるように、それぞれがシート材からなる掌側部分および甲側部分とが、手指を挿入するための開口部を除く縁部において互いに接合されてなる簡易型の手袋が知られている。この種の手袋は、食品加工の現場等において広範に利用されている。
【０００４】
ところで、近時、ノロウィルスによる食中毒が多く発生しており、手袋に付着したウィルスが食中毒の原因となることも多く報告されている。つまり、食品の汚染を防止する目的で上述のような手袋を使用していても、何らかの原因で手袋の外面にウィルスが付着し、それが感染源となってしまうのである。
【０００５】
そのような事態の発生を防止する上では、手袋を使用者の手指に装着する際にも、手袋の外面には手で接触しないで装着可能であることが望まれる。特許文献１には、そのような目的を達成できる手袋装着装置も開示されている。
【先行技術文献】
【特許文献】
【０００６】
【特許文献１】再公表特許公報03/073879号
【発明の概要】
【発明が解決しようとする課題】
【０００７】
特許文献１に示された手袋装着装置は、上記目的を達成する上で極めて有効なものであるが、コストダウンの点で改善の余地が残されている。
【０００８】
本発明は上記の事情に鑑みてなされたものであり、シート材からなる手袋を、その外面に接触することなく手指に装着できる安価な手袋装着装置を提供することを目的とする。
【０００９】
また本発明は、そのような手袋装着装置に適用することができる手袋を提供することを目的とする。
【課題を解決するための手段】
【００１０】
本発明による手袋装着装置は、
それぞれがシート材からなる手袋部分である掌側部分および甲側部分とが、手指を挿入するための開口部を除く縁部において互いに接合されてなり、
前記開口部となる前記掌側部分の端縁部および甲側部分の端縁部の一方が、他方よりも指側に偏位した状態とされ、
前記掌側部分および甲側部分のうち、前記他方の端縁部を有する方の手袋部分において、該端縁部の内側に貫通孔が設けられている手袋を、手指に装着させるための手袋装着装置であって、
上面の少なくとも一部に、使用者の手先が通過可能な挿入開口が形成された箱体と、
この箱体内において、基端部が該箱体に取り付けられ、先端部が上向きにされ、この先端部と前記基端部との間の中間部が横向きに延びる状態に配置されたロッドを有し、前記開口部を上側にして整列された複数の手袋を、その前記貫通孔に前記中間部を通すことにより、前記挿入開口の下で前記箱体内に吊り下げ保持する手袋保持手段とを備えてなり、
上記ロッドが、その中間部が延びる方向に対して交わる略水平な方向に並べて３本設けられていることを特徴とするものである。
【００１１】
なお、上記３本のロッドのうちの中央のロッドの上向きになった先端部は、両端に有る２本のロッドの上向きになった先端部と比べて、より前記基端側に位置していることが望ましい。
【００１２】
また、本発明による手袋装着装置は、前記ロッドの中間部に吊り下げられている複数の手袋を、前記先端部側に付勢する付勢手段をさらに備えていることが望ましい。
【００１３】
ここで上記付勢手段は、前記ロッドの中間部に巻装されたコイルばねから構成されることが望ましい。
【００１４】
また、本発明による手袋装着装置においては、前記挿入開口を上方から覆う蓋体が設けられていることが望ましい。
【００１５】
また、本発明による手袋装着装置においては、前記ロッドの先端部を上方から覆うロッドカバーが設けられていることが望ましい。
【００１６】
なお、上述のロッドカバーは、一端側が前記箱体に固定され、他端側が上向きに持ち上げられたとき前記ロッドの先端部から離間するように弾性変形可能である、板状のラバーからなるものであることが望ましい。
【００１７】
他方、本発明による手袋は、上記構成を有する本発明の手袋装着装置の手袋保持手段に吊り下げ保持される手袋であって、前記３本のロッドの各々を挿通させる３個の貫通孔を有することを特徴とするものである。
【発明の効果】
【００１８】
本発明による手袋装着装置は、上述した通りの箱体と手袋保持手段とから構成された、構造が極めて簡単なものであるので、十分安価に形成可能である。
【００１９】
また本発明による手袋装着装置は、箱体内に複数の手袋を収容可能となっているので、複数の手袋を清潔な状態に保って持ち運ぶために用いることも可能である。
【００２０】
特に、本発明の手袋装着装置においては、手袋を吊り下げ保持するロッドが３本設けられているので、例えば２本のロッドに手袋を吊り下げ保持する等の場合と比べて、手袋が不用意に破られてしまうことをより確実に防止可能となる。この点については、後に実施形態に即して詳しく説明する。
【００２１】
さらに、本発明の手袋装着装置において、上記３本のロッドのうちの中央のロッドの上向きになった先端部が、両端に有る２本のロッドの上向きになった先端部と比べて、より前記基端側に位置している場合は、使用者が手指を挿入させるための開口部をより大きく開いた状態にして手袋を吊り下げ保持可能となるので、手袋の装着がより容易になる。この点についても、後に実施形態に即して詳しく説明する。
【００２２】
他方、本発明による手袋は、３本のロッドの各々を挿通させる３個の貫通孔を有するものであるから、３本のロッドに吊り下げ保持され得るものとなる。そこでこの本発明による手袋は、上述したように不用意に破られてしまうことが確実に防止されるものとなる。
【図面の簡単な説明】
【００２３】
【図１】本発明の一実施形態による手袋装着装置を示す斜視図
【図２】上記手袋装着装置の要部を示す一部破断側面図
【図３】上記手袋装着装置で取り扱われる手袋を示す正面図
【図４】上記手袋装着装置の要部を示す斜視図
【図５】上記手袋装着装置を用いて手袋を装着する様子を示す斜視図
【図６】本発明の別の実施形態による手袋装着装置の要部を示す一部破断側面図
【図７】本発明のさらに別の実施形態による手袋装着装置の要部を示す一部破断側面図
【図８】図７の手袋装着装置における手袋保持状態を示す概略平面図
【発明を実施するための形態】
【００２４】
以下、図面を参照して本発明の実施の形態を詳細に説明する。図１は、本発明の一実施形態による手袋装着装置１の斜視形状を示すものであり、また図２および図４はその要部を示すものである。
【００２５】
これらの図に示される通り手袋装着装置１は、整列された複数の手袋１０を内部に収容する箱体２０と、この箱体２０内で手袋１０を吊り下げ保持する手袋保持手段３０と、複数の手袋１０を後述するように付勢する付勢手段４０とを備えて構成されている。なお図２は、手袋保持手段３０および、その周辺部分の側面形状を示している。
【００２６】
手袋１０は図３にも示す通り、それぞれが薄いシート材からなる手袋部分である掌側部分１１および甲側部分１２とが、手指を挿入するための開口部１３を除く縁部において互いに接合されてなるものである。なお、上記シート材としては、例えばある程度の伸縮性を有してエンボス加工されたポリエチレンシートが好適に用いられる。しかし、それに限らず手袋１０としては、その他のシート材を用いて形成されたものも適用可能である。このような手袋１０は、本手袋装着装置１にセットするに当たっては、多数枚が整列積層した状態で取り扱われる。
【００２７】
上記開口部１３は、掌側部分１１の端縁部１１ａと、甲側部分１２の端縁部１２ａとにより、袋の入り口状に形成されたものである。ここで掌側部分１１の端縁部１１ａは、甲側部分１２の端縁部１２ａよりも指側、つまり手袋１０の先端側に偏位した状態とされている。すなわち、端縁部１１ａが本発明における一方の端縁部であり、端縁部１２ａが本発明における他方の端縁部となっている。
【００２８】
上述のように端縁部１１ａと端縁部１２ａとが偏位していることにより、それらが揃っている場合と異なって、掌側部分１１と甲側部分１２とが密着している状態から、開口部１３を容易に開かせることが可能になっている。つまり、例えば使用者が、爪が甲側部分１２の内面に接する状態として指先を手袋先端側に向けて滑らせると、爪の有る指先が掌側部分１１の端縁部１１ａを拡げることにより、開口部１３が簡単に開くようになる。したがって、使用者がそのまま手先を手袋先端側に下ろせば、その手指が円滑に手袋１０内に入り込む。
【００２９】
また、前述したように、手袋１０がエンボス加工されたシート材から形成されている場合は、掌側部分１１と甲側部分１２とが密着せず、それら両者の間に隙間ができやすいので、開口部１３はさらに簡単に開くようになる。
【００３０】
上記甲側部分１２には、端縁部１２ａの内側、つまり該端縁部１２ａと端縁部１１ａとの間において、例えば２つの小さな貫通孔１２ｂが穿設されている。これらの貫通孔１２ｂは、後述するように手袋１０を吊り下げ保持するためのものである。
【００３１】
一方箱体２０は、例えば金属板や合成樹脂板等を用いて、有底の箱状に形成されたものである。この箱体２０の上板２０ａは、該箱体２０の上面の一部のみを覆う大きさとされている。それにより箱体２０の上面には、使用者の手先が通過可能な挿入開口２０ｂが形成されている。また箱体２０の上板２０ａには、箱体２０を持ち運ぶための把手２０ｃが取り付けられている。
【００３２】
なお箱体２０には、上記挿入開口２０ｂ以外の開口が適宜設けられても構わない。しかし、箱体２０の内部への塵埃や異物の侵入を防止して、その内部に収容される手袋１０を清潔に保つためには、挿入開口２０ｂ以外の開口は、できるだけ設けない方が好ましい。
【００３３】
また箱体２０には、挿入開口２０ｂを上方から覆い得る蓋体２１が取り付けられている。この蓋体２１は板材からなり、箱体２０の上板２０ａに固定された２つの蝶番２２に取り付けられて、図１中の矢印Ａ方向に揺動自在とされている。それにより蓋体２１は、挿入開口２０ｂを覆う位置と、この挿入開口２０ｂを開放する位置とを取り得るようになっている。そこで、この手袋装着装置１を使用して手袋を装着するとき以外は、蓋体２１により挿入開口２０ｂを閉じておいて、箱体２０の内部への塵埃や異物の侵入を防止することができる。
【００３４】
蓋体２１の表面には、蓋体２１を上述のように揺動操作するときに把持されるツマミ２３が取り付けられている。また、蓋体２１を大きく開くと、蓋体２１は図１に示されるように、上記把手２０ｃにより下から支持されて、斜めの姿勢を維持する状態となる。そのようになっていれば、蓋体２１を閉じる操作がやり易くなる。なお蓋体２１は、挿入開口２０ｂを閉じていても箱体２０の内部が観察できるように、透明あるいは半透明の板材から形成されるのが望ましい。
【００３５】
次に手袋保持手段３０について、特にその斜視形状を示す図４を参照して説明する。この手袋保持手段３０は、例えば金属製の２本のロッド３１を有している。各ロッド３１の基端部３１ａは固定部材３２に固定され、そしてこの固定部材３２は、その上面３２ａが例えば上板２０ａの下面に接する状態として箱体２０に固定されている。こうして各ロッド３１の基端部３１ａが、箱体２０に取り付けられている。また、各ロッド３１の先端部３１ｂは上向きとされ、この先端部３１ｂと基端部３１ａとの間の中間部３１ｃは横向きに延びる状態とされている。
【００３６】
なお一般には、箱体２０を正立状態に配置したとき、ロッド３１の中間部３１ｃが略水平に延びる状態となっているのが望ましいが、それに限らず、中間部３１ｃが略水平状態から少し傾いて延びる状態となっていても構わない。
【００３７】
複数の手袋１０は、上記２本のロッド３１の各中間部３１ｃを甲側部分１２の貫通孔１２ｂに通すことにより、図１および図２に示すように、ロッド３１に吊り下げ保持される。すなわち、複数の手袋１０を互いに整列積層させると、各手袋１０の貫通孔１２ｂが互いに整合した状態となる。そこで、その状態のまま貫通孔１２ｂの周りの手袋部分を略水平に配し、貫通孔１２ｂに下からロッド先端部３１ｂが挿通するように該手袋部分を下に降ろし、次いで中間部３１ｃ側に案内すれば、整列積層した複数の手袋１０がロッド中間部３１ｃに吊り下げ保持される。
【００３８】
本実施形態では、手袋保持手段３０に付勢手段４０が組み込まれている。この付勢手段４０は図４に示されるように、２本のロッド３１にそれぞれ巻装されたコイルばね４１と、断面Ｌ字形の押し部材４２とから構成されている。押し部材４２は例えば金属、合成樹脂等から形成されて、縦壁部４２ａと、その上端から連なる横壁部４２ｂとを有している。縦壁部４２ａは、そこに穿設されたロッド通過孔４２ｃ内をロッド３１の中間部３１ｃが挿通することにより、この中間部３１ｃに沿って移動可能となっている。
【００３９】
また各コイルばね４１は、その一端、他端がそれぞれ固定部材３２、上記縦壁部４２ａに固定された状態で、それら両者の間に縮装されている。したがって押し部材４２は常時、ロッド３１の先端部３１ｂ側に付勢されている。なお図４では、図示の明瞭化のために、ロッド３１の先端部３１ｂと上記縦壁部４２ａとが離れた状態としているが、実際は、手袋１０が保持されていないとき特に外力を受けなければ、付勢された縦壁部４２ａはロッド先端部３１ｂに当接する位置を取る。
【００４０】
次に、上述の構成を有する手袋装着装置１を用いて行われる手袋装着について説明する。手袋装着を行う前に、予め箱体２０内において、整列積層させた複数の手袋１０が手袋保持手段３０に吊り下げ保持される。図１は、このときの状態を示している。より具体的に手袋１０は、２本のロッド３１の中間部３１ｃに吊り下げ保持されるが、その手袋保持は先に説明した通りにして行われる。またこのとき手袋１０は、掌側部分１１が手前側（図１中の左下側、図２中の左側）で、甲側部分１２が奥側に位置する状態にセットされる。
【００４１】
なお、上述のようにロッド３１の中間部３１ｃに吊り下げ保持された複数の手袋１０は、図４に示したコイルばね４１で付勢された縦壁部４２ａが弾力的に圧接することにより、最も手前側の手袋１０がロッド３１の先端部３１ｂに奥方側から接する状態となる。つまり、複数の手袋１０が何枚であっても、最も手前側の手袋１０はロッド３１の先端部３１ｂに接する定位置を取ることになる。この定位置は、箱体２０の挿入開口２０ｂの下方に有って、該挿入開口２０ｂを通過した使用者の手指を受け入れ得る位置である。
【００４２】
こうして複数の手袋１０を収容している箱体２０は、例えばテーブル等の上に正立状態で載置される。その載置高さは、適当な高さのテーブル等を選択使用することにより、使用者がその手先を、挿入開口２０ｂから無理なく箱体２０内に挿入できるような高さに設定される。この状態下で蓋体２１が開操作され、挿入開口２０ｂが開かれる。
【００４３】
その後、使用者は図５に示すように、下向きにした自分の手先Ｈを、挿入開口２０ｂを通過させて箱体２０内に挿入させ、一番手前側に吊り下げ保持されている手袋１０に指先を進入させる。このとき使用者は、掌が手前側つまり自分の側を向くようにして指先を下ろす。つまり図５は、右手に手袋１０を装着する場合の例を示している。こうして、爪の有る指先が甲側部分１２に接する状態にして指先を端縁部１１ａ側に向けて滑らせると、開口部１３が簡単に開いて、手指が円滑に手袋１０内に入り込むことは先に述べた通りである。
【００４４】
手先Ｈを十分に下げて、手指が完全に手袋１０内に入り込むと、シート材からなる手袋１０は手指に密着するようになる。そこで、その状態のまま手先Ｈを引き上げると、甲側部分１２の貫通孔１２ｂの部分がロッド３１の先端部３１ｂから上に抜け出し、手袋１０は手袋保持手段３０から離脱する。こうして作業者は、手袋１０の外面には全く接触することなく、その右手に手袋１０を装着することができる。
【００４５】
以上の通りにして、複数の手袋１０のうち最も手前側の手袋１０が手袋保持手段３０から離脱すると、付勢手段４０の付勢力により、次の手袋１０がロッド先端部３１ｂに接する定位置を取るようになる。そこで次は、使用者がその手袋１０を上記と同様にして装着可能となる。
【００４６】
なお、以上は右手に手袋１０を装着する場合を例に挙げて説明したが、右手用手袋１０とは左右対称に形成された左手用手袋を同様にして手袋装着装置１にセットしておき、左手に手袋１０を装着することも可能である。その場合も勿論、手袋１０の外面に全く接触することなく、左手に手袋１０を装着することができる。
【００４７】
また、右手用手袋をセットした手袋装着装置１と、左手用手袋をセットした手袋装着装置１を左右並べて配置しておき、それらを用いて、右手と左手に同時に手袋を装着することも可能である。その場合も勿論、各手袋１０の外面に全く接触することなく、両手に手袋１０を装着することができる。
【００４８】
なお、図２および図４に示される通り、押し部材４２の横壁部４２ｂは、それぞれコイルばね４１が巻装されている２本のロッド３１の上を覆う状態となっている。そこで、箱体２０の挿入開口２０ｂから、保持されている手袋１０越しにロッド３１の方を見ても、むき出しのロッド３１やコイルばね４１が見えることがないので、手袋装着装置１の商品価値を高めることができる。
【００４９】
それと同じ効果を得る上では、ロッド３１の先端部３１ｂも、普通の使用状態下では使用者に見えないようにしておくのが望ましい。そのためには、例えば図６に示すようなロッドカバー５０を用いることができる。このロッドカバー５０は、例えば合成ゴムのような弾性変形可能な材料を用いて平板上に形成されたものであり、その一端部（図中の右端部）が箱体上板２０ａに固定されている。そしてこのロッドカバー５０の他端部（図中の左端部）は、ロッド３１の先端部３１ｂをやや越える位置まで延びる状態とされている。そして該ロッドカバー５０の左右幅、つまり図６中で紙面と直交する方向の寸法は、２つのロッド先端部３１ｂを上から覆い得るだけの長さとされている。
【００５０】
そこで、蓋体２１が開操作された状態においても、普通に上方から眺める限り、ロッド３１の先端部３１ｂはロッドカバー５０に覆われて、見ることができない。特にロッド３１の先端部３１ｂは、先端面が使用者の方を向くことになるので、それを見た使用者に不快感を与えることも有り得るが、先端部３１ｂがロッドカバー５０に覆われていれば、そのような事態を回避できる。
【００５１】
なお、ロッドカバー５０が上述のように弾性変形可能な材料を用いて板状に形成されていれば、ロッド３１の中間部３１ｃに複数の手袋１０を保持させる際には、ロッドカバー５０の他端部側を弾性変形させつつ持ち上げ、ロッド先端部３１ｂとの間に隙間を作ることができる。そのような隙間があれば、その隙間を通して複数の手袋１０をロッド３１にセットすることができる。
【００５２】
また、以上説明した実施形態においては、前述した通りの付勢手段４０が設けられているが、このような付勢手段４０は適宜省かれてもよい。すなわち、ロッド３１の中間部３１ｃを、基端部３１ａから先端部３１ｂに向かって次第に低くなるように傾斜させておけば、中間部３１ｃに保持された複数の手袋１０が重力によって先端部３１ｂ側に移動して、常に、最も手前側の手袋１０が先端部３１ｂに接する定位置を取るようになる。
【００５３】
次に図７を参照して、本発明のさらに別の実施形態による手袋装着装置１００について説明する。なお、この図７において、既に説明したものと同等の要素については同じ番号を付してあり、それらについての説明は特に必要の無い限り省略する。この手袋装着装置１００は上に述べた手袋装着装置１と比べると、手袋保持手段を構成するロッドが３本設けられている点で基本的に異なるものである。それらのロッドは、例えば図２に示す既述のロッド３１と基本的に同形状とされており、中間部３１ｃ（図２および４参照）が延びる方向に直交する略水平方向に並べて設けられている。なお、ここで言う「略水平」とは、厳密に水平であることは勿論、それから若干の角度、例えば２０°程度傾いた状態も含んで意味するものである。
【００５４】
図７に明示されるように３本のロッド３１は、中央のロッドの上向きになった先端部３１ｂが、両端に有る２本のロッドの上向きになった先端部３１ｂと比べて、よりロッド基端側に位置する状態に配設されている。このような３本のロッド３１に対応させて、手袋１０も、その甲側部分１２に吊り下げ用の貫通孔１２ｂが３個設けられたものが適用される。それらの貫通孔１２ｂは、手袋１０の甲側部分の端縁部１２ａおよび掌側部分の端縁部１１ａと平行な方向に並べて設けられている。
【００５５】
手袋装着装置１００に複数の手袋１０をセットするに当たっては、手袋１０の各３つの貫通孔１２ｂにそれぞれ先端部３１ｂを挿通させ、以下は既述の場合と同様にして、ロッド３１に手袋１０が吊り下げ保持される。その際、多数枚の手袋１０が整列積層した状態で取り扱われるのも、既に述べた実施形態におけるのと同じである。
【００５６】
以上述べたように、各手袋１０を３本のロッド３１に吊り下げ保持させれば、手袋１０を使用者の手に装着する際などに、手袋１０に不用意に下向きの大きな力を加えてしまっても、吊り下げ部（具体的には貫通孔１２ｂの周囲部分）においてその力は３か所に分散されることになる。つまり、各手袋１０を２本のロッド３１に吊り下げ保持させる場合と比べると、手袋１０の各吊り下げ部に加わる力はより小さくなる。そこで、上述のような不用意に加えられる力によって手袋１０の貫通孔１２ｂの周囲部分が破れてしまう可能性がより低くなる。
【００５７】
手袋１０の一部が破れるようなことがあると、細かい破れ屑が手袋１０に付着している可能性もある。そうなっていると、手袋使用者が食品を扱うような場合は、その破れ屑が食品に混入するおそれがある。手袋１０の一部の破れを防止できれば、そのような不具合の発生を確実に防止可能となる。
【００５８】
それに加えて本実施形態においては、手袋装着がより容易になるという効果も得られる。以下、その点について詳しく説明する。前述のように配設された３つのロッド先端部３１ｂは、平面視状態で図８に示すような位置関係となる。そこで手袋１０の甲側部分の端縁部１２ａから少し下側の領域（つまり３つの貫通孔１２ｂの形成箇所の近傍領域）は、平面視状態で概略「く」の字状となり、掌側部分の端縁部１１ａとの間に隙間を生じさせる。なお、このとき掌側部分の端縁部１１ａは、手袋１０の材質や大きさ、３つのロッド先端部３１ｂの配置状態等に応じて、図８に実線で示す状態、あるいは破線で示す状態になる。こうして、掌側部分１１と甲側部分１２との間の開口部１３が自然にある程度開いた状態となるので、使用者が開口部１３に手指を入れやすくなり、ひいては手袋装着がより容易になる。
【符号の説明】
【００５９】
１、１００    手袋装着装置
１０    手袋
１１    掌側部分
１１ａ  掌側部分の端縁部
１２    甲側部分
１２ａ  甲側部分の端縁部
１２ｂ  貫通孔
１３    開口部
２０    箱体
２０ａ  箱体の上板
２０ｂ  挿入開口
２０ｃ  把手
２１    蓋体
２２    蝶番
２３    ツマミ
３０    手袋保持手段
３１    ロッド
３１ａ  ロッドの基端部
３１ｂ  ロッドの先端部
３１ｃ  ロッドの中間部
４０    付勢手段
４１    コイルばね
４２    押し部材
５０    ロッドカバー
【図１】
2015212431.tif 000003
【図２】
2015212431.tif 000004
【図３】
2015212431.tif 000005
【図４】
2015212431.tif 000006
【図５】
2015212431.tif 000007
【図６】
2015212431.tif 000008
【図７】
2015212431.tif 000009
【図８】
2015212431.tif 000010
【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
それぞれがシート材からなる手袋部分である掌側部分および甲側部分とが、手指を挿入するための開口部を除く縁部において互いに接合されてなり、
前記開口部となる前記掌側部分の端縁部および甲側部分の端縁部の一方が、他方よりも指側に偏位した状態とされ、
前記掌側部分および甲側部分のうち、前記他方の端縁部を有する方の手袋部分において、該端縁部の内側に貫通孔が設けられている手袋を、手指に装着させるための手袋装着装置であって、
上面の少なくとも一部に、使用者の手先が通過可能な挿入開口が形成された箱体と、
この箱体内において、基端部が該箱体に取り付けられ、先端部が上向きにされ、この先端部と前記基端部との間の中間部が横向きに延びる状態に配置されたロッドを有し、前記開口部を上側にして整列された複数の手袋を、その前記貫通孔に前記中間部を通すことにより、前記挿入開口の下で前記箱体内に吊り下げ保持する手袋保持手段とを備えてなり、
そして前記ロッドが、その前記中間部が延びる方向に対して交わる略水平な方向に並べて３本設けられていることを特徴とする手袋装着装置。
【請求項２】
前記３本のロッドのうちの中央のロッドの上向きになった先端部が、両端に有る２本のロッドの上向きになった先端部と比べて、より前記基端側に位置していることを特徴とする請求項１記載の手袋装着装置。
【請求項３】
請求項１または２に記載の手袋装着装置において前記手袋保持手段に吊り下げ保持される手袋であって、前記３本のロッドの各々を挿通させる３個の貫通孔を有することを特徴とする手袋。